(57)【要約】【課題】基地局に障害等の不具合が生じた場合であっても最低限度の通信が可能となる簡易基地局を提供すると共に、移動局側において基地局からの電波の受信状況に応じて、通信モードの切替えを行うことを特徴とした無線通信システムを提供することを目的とする。【解決手段】少なくとも統制局と、基地局と、移動局によって構成される無線通信システムにおいて、該無線通信システムは、前記基地局に障害が生じると障害が生じた基地局の代わりに運行する簡易基地局を有し、前記移動局は、受信した信号に付加されている基地局番号を判別する判別手段と、前記基地局と前記簡易基地局のどちらか一方と通信を行う通信手段とを有し、さらに前記移動局は、前記基地局から発信される信号の受信状態によって前記簡易基地局との通信へ切替える、ことを特徴とした無線通信システム。【選択図】  図１
2007274273.tif 000002
【特許請求の範囲】
【請求項１】
少なくとも統制局と、基地局と、移動局によって構成される無線通信システムにおいて、
該無線通信システムは、前記基地局に障害が生じると障害が生じた基地局の代わりに運行する簡易基地局を有し、
前記移動局は、受信した信号に付加されている基地局番号を判別する判別手段と、
前記基地局と前記簡易基地局のどちらか一方と通信を行う通信手段とを有し、
さらに前記移動局は、前記基地局から発信される信号の受信状態によって前記簡易基地局との通信へ切替える、ことを特徴とした無線通信システム。
【発明の詳細な説明】
【技術分野】
【０００１】
本発明は、無線通信システムに関するものであり、特に基地局に不具合が生じ通信不可能になった場合に障害の生じた基地局の代行を行う基地局を有した無線通信システムに関するものである。
【背景技術】
【０００２】
従来、統制局を中心とし、複数の基地局とそのエリア内の複数の移動局等から構成される無線通信システムでは、基地局から常に一定間隔で信号が送信され、この信号を移動局が受信することで、移動局自身が現在通話可能なエリアにいるか否かを判断していた。
このようなシステムの１つに例えば都道府県防災行政無線通信システムなどが挙げられ、標準規格ＡＲＩＢ  ＳＴＤ−Ｔ６１（Ａｓｓｏｃｉａｔｉｏｎ  ｏｆ  Ｒａｄｉｏ Ｉｎｄｕｓｔｒｉｅｓ  ａｎｄ  Ｂｕｓｉｎｅｓｓｅｓ−Ｔ６１）（例えば非特許文献１）により定められている。
【０００３】
図５は従来の基地局からの信号によって変化する移動局の状態の時間的推移の一例を示した図であり、図６は従来の移動局の動作について示した図である。
図５において、基地局より一定間隔で送信された信号を移動局側で受信すると移動局の表示部には圏内と表示され、基地局からの信号が例えば６秒以上受信できなくなると圏外と表示していた。
通常、移動局が圏内にある場合の移動局の動作は基地局への発呼または基地局からの着呼はどちらも可能であるが、圏外となると基地局からの着呼は可能であるが、基地局への発呼は禁止状態とされていた。
このようなシステムとして例えば特許文献１が挙げられる。
【０００４】
【特許文献１】特開２００４−２２２０９８号公報
【非特許文献１】標準規格ＡＲＩＢ  ＳＴＤ−Ｔ８６：市町村デジタル同報通信システム  社団法人  電波産業会
【発明の開示】
【発明が解決しようとする課題】
【０００５】
しかし、上記のような従来技術の場合、基地局に障害等の不具合が生じた場合には移動局では通話が不可能になってしまうため、特に上記のような防災無線通信では最低限度の通話は可能とする必要があった。
また、基地局に障害等の不具合が生じた場合の移動局の通信状態の対応も同時に解決する必要があった。
【０００６】
本発明では、上述したような従来の課題を解決するために為されたもので、基地局に障害等の不具合が生じた場合であっても最低限度の通信が可能となる簡易基地局を提供すると共に、移動局側において基地局からの電波の受信状況に応じて、通信モードの切替えを行うことを特徴とした無線通信システムを提供することを目的とする。
【課題を解決するための手段】
【０００７】
上記目的を達成するため、請求項１に記載の発明は、少なくとも統制局と、基地局と、移動局によって構成される無線通信システムにおいて、該無線通信システムは、前記基地局に障害が生じると障害が生じた基地局の代わりに運行する簡易基地局を有し、前記移動局は、受信した信号に付加されている基地局番号を判別する判別手段と、前記基地局と前記簡易基地局のどちらか一方と通信を行う通信手段とを有し、さらに前記移動局は、前記基地局から発信される信号の受信状態によって前記簡易基地局との通信へ切替える、ことを特徴とする。
【発明の効果】
【０００８】
以上のように本発明によると、基地局に障害等の不具合が生じた場合であっても最低限度の通信が可能となる簡易基地局を提供すると共に、移動局側において基地局からの電波の受信状況に応じて、通信モードの切替えを行うことを特徴とした無線通信システムを提供することができる。
【発明を実施するための最良の形態】
【０００９】
本発明における実施例について図面を参照して説明する。
図１は本発明における無線通信システムのシステム概要図である。
図１において、１０１は統制局、１０２−１、１０２−Ｎは基地局、１０３−１、１０３−２、１０３−Ｎは移動局、１０４は指令台、１０５は指令制御装置、１０６、１１１は回線制御装置、１０７、１１０は無線装置、１０８はＦＡＸ送信管理装置、１０９は指令発令ＦＡＸ、１１２、１１３は送受信装置、１１４、１１５は共用器、１１６は通信衛星である。基地局１０２−Ｎに設けられている各装置は１０２−１と同様であるため、基地局１０２−Ｎの各装置の説明は省略する。また、移動局、基地局をそれぞれ総称する時はそれぞれ移動局１０３、基地局１０２として記載する。なお、統制局１０１と各基地局設備１０２との無線通信には、通信衛星を介する他に、無線中継局（図示せず）によって無線通信を確立することもできる。
【００１０】
本実施例では特に都道府県防災行政無線通信システムを実施例に挙げ、統制局１０１が基地局１０２−１および移動局１０３−１を呼び出すものとして説明を行う。
統制局１０１は各種通信の指令を指令台１０４や指令発令ＦＡＸ１０９より指令制御装置１０５を介して回線制御装置１０６より無線装置１０７または専用線等の有線回線を通じて通信を行う。統制局１０１より信号を受信した基地局１０２は指令内容に応じて送受信装置１１２または１１３のどちらか一方または両方を使用して移動局１０３へ無線中継を行う。移動局１０３は統制局１０１の回線制御装置１０６を経由した基地局１０２の基地局無線装置からのｆ１信号を受信することによって、どの基地局の通信エリア内にいるのかが判別でき、他の移動局、あるいは統制局１０１と選択呼び出しにより統制局内回線制御装置６の接続制御のもとで基地局１０２経由の回線接続が可能になる。また、統制局１０１側でも移動局からのｆ２信号を基地局１０２経由で受信することによって各移動局の所在地を把握することが可能となる。
【００１１】
本実施例では無線通信に通信衛星を利用しているが、この他にも無線中継局（図示せず）を利用して無線通信を確立することも可能となる。また、基地局１０２は送受信装置１１２および１１３を有し、それぞれ周波数の異なる通信を行う事ができ、移動局では基地局を介して統制局または移動局と通信を行う基地局通信モードと移動局同士で直接通信を行う移動局間直接通信モードの両方の通信を行うことが可能である。
【００１２】
図２は本実施例における簡易基地局２０１の具体的一例をブロック図に示したものである。
簡易基地局２０１は入力部２０２、通信制御部２０３、出力部２０４、変調部２０５、複調部２０６、無線制御部２０７、アンテナ２０８により構成されており、通常、簡易基地局２０１は通信制御部２０３により入出力制御を行い、入力部２０２により入力された信号は通信制御部２０３から変調部２０５、無線制御部２０７を介してアンテナ２０８より送信され、アンテナ２０８より受信した信号は無線制御部２０７より復調部２０６、通信制御部２０３を介して出力部へと信号を出力する。簡易基地局２０１では、何等かの理由により運用できなくなった基地局１０２の代行として基地局運用するように指示があると、統制局１０１や移動局１０３に簡易基地局２０１が運用されたことを通知する信号を送信し、各装置が簡易基地局２０１を介した通信を行うようになる。
【００１３】
ここで、基地局に障害が生じたときの簡易基地局への切替えについて図３および図４を用いて説明する。
図３は本発明における基地局からの信号によって変化する移動局の状態の時間的推移の一例を示した図であり、図４は本発明における移動局の動作について示した図である。
【００１４】
図３において従来技術と同様に、移動局１０３が基地局１０２からの信号を受信すると移動局１０３は圏内という表示を移動局１０３の表示部（図示せず）に表示を行う。その後、予め定められた長さの時間、例えば６秒以上基地局から信号が受信できなくなると圏外と判断し、圏外という表示を行う。基地局からの信号が例えば６０秒以上受信できなくなったとき、簡易基地局２０１へ切り替え、簡易基地局通信モード（以下代行モードと記載する。）として移動局１０３の通信を行う。移動局１０３は基地局１０２が運用している時に簡易基地局２０１から信号を受信すると、受信した信号に付加されている基地局番号により簡易基地局であることを確認し受信信号を破棄し、代行モードに切り替わった時のみ簡易基地局２０１より信号を受信し復調を行う。
【００１５】
ここで、本実施例では統制局に設けられている回線制御装置は１つとして記載しているが、基地局に設けられている送受信装置と同数を設けることとしても良く、基地局に設けられている送受信装置を通信の種類毎に設けることとしても良い。
【００１６】
また、本実施例における簡易基地局では他の基地局同様に自身の基地局番号を付加した信号を一定間隔にて移動局へ発信し、基地局に障害が生じた場合、指令を受けて障害が生じた基地局の代行基地局として運用されることとしても良い。
【００１７】
以上のことから本発明における実施の形態によると、移動局が基地局から一定間隔で送信される無線信号を受信している場合のみ通話発信が可能となるシステムにおいて、基地局が障害を起こし、無線信号を送信できなくなることを防ぐ事が可能となる。
【００１８】
また、本発明における実施の形態によると、基地局が正常に稼動している場合には簡易基地局が運用の邪魔をせず、障害が発生した時には自動で簡易基地局運用に切替る制御を操作者の操作無しで実現する事が可能となる。
【００１９】
また、本発明における実施の形態によると、簡易基地局が通常運用している基地局と異なるチャネルで運用を行っている場合に、通常運用している基地局に障害がおきることにより移動局が現在基地局に障害が発生しているのか圏外にいるのかを判断することが可能となる。
【００２０】
また、本発明における実施の形態によると、簡易基地局が通常運用している基地局と同じチャネルで運用を行っている場合で、特殊な呼出番号を入力することで簡易基地局を呼び出すような場合であっても、通常運用している基地局が正常に稼動している時に、簡易基地局から移動局への発呼または移動局から簡易基地局への発呼を行ってしまうことにより生じる基地局への障害を防止する事が可能となる。
【図面の簡単な説明】
【００２１】
【図１】本発明における無線通信システムのシステム概要図。
【図２】本発明における簡易基地局の一例を示したブロック図。
【図３】本発明における基地局からの信号によって変化する移動局の状態の時間的推移の一例を示した図。
【図４】本発明における移動局の動作について示した図。
【図５】従来の基地局からの信号によって変化する移動局の状態の時間的推移の一例を示した図。
【図６】従来の移動局の動作について示した図。
【符号の説明】
【００２２】
１０１・・・統制局、
１０２・・・基地局、
１０３・・・移動局、
１０４・・・指令台、
１０５・・・指令制御装置、
１０６、１１１・・・回線制御装置、
１０７、１１０・・・無線装置、
１０８・・・ＦＡＸ送信管理装置、
１０９・・・指令発令ＦＡＸ、
１１２、１１３・・・送受信装置、
１１４、１１５・・・共用器、
１１６・・・通信衛星、
２０１・・・簡易基地局、
２０２・・・入力部、
２０３・・・通信制御部、
２０４・・・出力部、
２０５・・・変調部、
２０６・・・復調部、
２０７・・・無線制御部、
２０８・・・アンテナ。
【図１】
2007274273.tif 000003
【図２】
2007274273.tif 000004
【図３】
2007274273.tif 000005
【図４】
2007274273.tif 000006
【図５】
2007274273.tif 000007
【図６】
2007274273.tif 000008